(57)【要約】【課題】複数枚の戸板の連結側の側端部間における隙間からの明かり漏れを防止し得る折戸を提供する。【解決手段】複数枚の戸板１０，２０を折り畳み自在に連結した折戸１であって、前記戸板の連結側のそれぞれの側端部１１，２１に、当該折戸が閉鎖状態で互いに噛み合うような複数の歯部１５，２５を有した歯型状の弾性体１４，２４を上下方向に沿って設けている。【選択図】図１
2012112134.tif 000002
【特許請求の範囲】
【請求項１】
複数枚の戸板を折り畳み自在に連結した折戸であって、
前記戸板の連結側のそれぞれの側端部に、当該折戸が閉鎖状態で互いに噛み合うような複数の歯部を有した歯型状の弾性体を上下方向に沿って設けたことを特徴とする折戸。
【請求項２】
請求項１において、
前記弾性体は、当該折戸が前記閉鎖状態と略四半開状態との間を少なくとも開閉される際に互いに噛み合うような形状とされていることを特徴とする折戸。
【請求項３】
請求項１または２において、
前記弾性体は、互いに非接触状態で噛み合うような形状とされていることを特徴とする折戸。
【発明の詳細な説明】
【技術分野】
【０００１】
本発明は、複数枚の戸板を折り畳み自在に連結した折戸に関する。
【背景技術】
【０００２】
複数枚の戸板を折り畳み自在に連結した折戸においては、隣接する戸板の連結側の側端部間に隙間が形成され、この隙間によって明かりが漏れたり、指や物体等を挟み込んだりする恐れがあった。
このような隙間を隠すために、例えば、下記特許文献１では、隣り合う扉体の間に、各扉体に対し一体的に設けられた状態で対向するように、中空部を有する召合せ弾性体を設けた折戸の召合せ構造が提案されている。
この召合せ構造では、折戸の閉鎖状態において互いに係合する凸部と凹部とを各召合せ弾性体の突端側部分に対応させて設けた構造とされ、これにより、隣り合う扉体間の隙間の形成を防止している。
【先行技術文献】
【特許文献】
【０００３】
【特許文献１】特開２００７−２７８０３８号公報
【発明の概要】
【発明が解決しようとする課題】
【０００４】
しかしながら、上記特許文献１に記載された召合せ構造では、各召合せ弾性体に設けた凹凸を係合させた状態においても、これらの間に僅かな隙間が形成されるため、僅かな明かりが漏れることが考えられ、更なる改善が望まれていた。
【０００５】
本発明は、上記実情に鑑みなされたものであり、複数枚の戸板の連結側の側端部間における隙間からの明かり漏れを防止し得る折戸を提供することを目的としている。
【課題を解決するための手段】
【０００６】
前記目的を達成するために、本発明に係る折戸は、複数枚の戸板を折り畳み自在に連結した折戸であって、前記戸板の連結側のそれぞれの側端部に、当該折戸が閉鎖状態で互いに噛み合うような複数の歯部を有した歯型状の弾性体を上下方向に沿って設けたことを特徴とする。
【０００７】
本発明においては、前記弾性体を、当該折戸が前記閉鎖状態と略四半開状態との間を少なくとも開閉される際に互いに噛み合うような形状としてもよい。
また、本発明においては、前記弾性体を、互いに非接触状態で噛み合うような形状としてもよい。
【発明の効果】
【０００８】
本発明に係る折戸は、上述のような構成としたことで、複数枚の戸板の連結側の側端部間における隙間からの明かり漏れを防止することができる。
【図面の簡単な説明】
【０００９】
【図１】（ａ）、（ｂ）は、いずれも本発明の一実施形態に係る折戸の一例を模式的に示し、（ａ）は、図２（ｂ）におけるＹ１部に対応させた一部破断概略拡大横断面図、（ｂ）は、（ａ）に示す状態から同折戸が少許開放された状態を示す一部破断概略横断面図である。
【図２】（ａ）、（ｂ）は、いずれも同折戸が建て付けられた状態を模式的に示し、（ａ）は、一部破断概略正面図、（ｂ）は、（ａ）におけるＸ−Ｘ線矢視に対応させた一部破断概略横断面図である。
【図３】（ａ）は、図２（ｂ）におけるＹ２部に対応させた一部破断概略拡大横断面図、（ｂ）は、図２（ｂ）におけるＹ３部に対応させた一部破断概略拡大横断面図である。
【図４】（ａ）、（ｂ）は、いずれも本発明の他の実施形態に係る折戸の一例を模式的に示し、図１（ａ）、図３（ｂ）にそれぞれ対応させた図である。
【発明を実施するための形態】
【００１０】
以下に本発明の実施の形態について、図面に基づいて説明する。
図１〜図３は、第１実施形態に係る折戸について説明するための説明図である。
なお、以下の各実施形態では、図２（ｂ）に示す状態を基準として、図２（ｂ）において下側を手前側、図２（ｂ）において上側を背面側（後方側）とし、各実施形態に係る折戸が建て付けられた状態を基準として、その方向等を説明する。
【００１１】
本実施形態に係る折戸１は、図１及び図２に示すように、二枚の戸板１０，２０（第１戸板１０及び第２戸板２０）の連結側の側端部（連結側端部）１１，２１を、連結部材８，９によって折り畳み自在に連結した構成とされている。
この折戸１は、図例では、建物の居住空間などの手前側空間７と、収納空間や隣室空間などの背面側空間６との間を仕切る内壁２に開設された開口部５を閉鎖または開放する開閉扉として建て付けられた状態を示している。
内壁２は、図２（ｂ）に示すように、柱材（間柱）や横桟、胴縁、飼木等の下地材（壁下地）の前面及び背面に壁材等を添設して構成されている。この内壁２に開設された開口の左右内側部に一対の縦枠３，３を配設し、上内側部に上枠４を配設して開口部５を形成している。なお、図例のように各枠部材を露出させる態様に代えて、これら枠部材を壁紙やクロス紙等によって覆い隠すような態様としてもよい。
【００１２】
第１戸板１０は、本実施形態では、その非連結側の側端部（戸先側端部）１６の回動支点１７廻りに上枠４に対して回動自在とされるとともに、この回動支点１７部分が上枠４の長手方向に沿ってスライド自在とされた可動側（戸先側）戸板とされている。
一方、第２戸板２０は、本実施形態では、その非連結側の側端部（吊元側端部）２６の回動支点２７廻りに上枠４に対して回動自在とされた吊元側戸板とされている。
上枠４には、第１戸板１０の戸先側端部１６の上端に設けられたランナー部材１８（図２（ａ）参照）をスライド自在に案内支持する上レールが設けられている。ランナー部材１８は、第１戸板１０に対して回動自在に連結されており、このランナー部材１８が第１戸板１０の上記した戸先側端部１６の回動支点１７を構成する。
また、上枠４の上レールには、第２戸板２０の吊元側端部２６の上端に設けられたピボット２８（図２（ａ）参照）を回動自在に支持する軸受部が設けられている。また、床面には、第２戸板２０の吊元側端部２６の下端に設けられたピボット２９（図２（ａ）参照）を回動自在に支持する軸受部が設けられている。これらピボット２８，２９が第２戸板２０の上記した吊元側端部２６の回動支点２７を構成する。
【００１３】
これら戸板１０，２０の連結側端部１１，２１を連結する連結部材８，９は、上下で一組とされ、上側連結部材８と下側連結部材９とからなり、連結側端部１１，２１の上端面及び下端面にそれぞれ架け渡されるようにして配設されている（図１及び図３も参照）。
これら連結部材８，９には、図１及び図３に示すように、第１戸板１０の連結側端部１１が回動支点１２を中心として回動自在に連結され、第２戸板２０の連結側端部２１が回動支点２２を中心として回動自在に連結されている。
これら連結部材８，９は、図例では、概念的に示しているが、第１戸板１０と第２戸板２０とを、各回動支点１２，２２を中心として左右対称的に折り畳み可能なように連結している。つまり、これら連結部材８，９は、回動支点１２廻りの第１戸板１０の回動と回動支点２２廻りの第２引戸２０の回動とがこれら回動支点１２，２２間の前後方向に沿う中心線を対称軸として略線対称状になされるように、第１戸板１０と第２戸板２０とを回動（折り畳み）自在に連結している。
【００１４】
このような連結部材８，９としては、公知のものが適用可能であり、例えば、リンク機構等を備えたものや、歯車機構等を備えたものとしてもよい。例えば、リンク機構としては、各回動支点１２，２２に対して回動自在に連結される連結プレートと、各戸板１０，２０の連結側端部１１，２１近傍の上下端面のそれぞれに設けられた突起等を案内可能に受け入れる長孔等を設けたリンクプレートとによって構成するようにしてもよい。または、上記連結プレートと、各戸板の背面に一端が回動自在に連結固定されるとともに他端同士が回動自在に連結されたリンク状の一対の折畳部材とによって構成するようにしてもよい。また、歯車機構としては、それぞれの回動支点１２，２２を中心とする互いに噛み合う歯車状部材を各戸板１０，２０の連結側端部１１，２１の上下端面等に固着させ、さらに、各回動支点１２，２２に対して回動自在に連結プレートを連結した構成としてもよい。また、連結部材８，９としては、各戸板１０，２０の連結側端部１１，２１の上下端面に配設されるものに限られず、各戸板１０，２０の背面等に固定されるリンク機構等を有した蝶番等によって構成するようにしてもよい。
【００１５】
このように連結部材８，９によって連結された第１戸板１０及び第２戸板２０を備えた折戸１は、第１戸板１０の前面に設けられた把手１９等をして、その開閉がなされる。また、これら戸板１０，２０のなす角（連結角）θ（図２（ｂ）参照）が比較的に大きい場合、例えば、９０度程度以上の状態では、これら戸板１０，２０の連結側端部１１，２１近傍の手前側部位を、手前側から後方側に押すことによっても閉鎖することができる。また、図２（ｂ）において実線で示す閉鎖状態等からは、これら戸板１０，２０の連結側端部１１，２１近傍の背面側部位を、後方側から手前側に押すことによっても開放することができる。また、開閉途中においては、第１戸板１０の戸先側端部１６等をスライドさせることによっても開閉することができる。
【００１６】
このような複数枚の戸板１０，２０を連結した折戸１では、連結側端部１１，２１間に隙間が形成され、この隙間から明かりが漏れたり、さらには、この隙間に手指や物品等が存在すれば、開閉時に挟み込んだりすることも考えられる。
そこで、図２（ａ）に示すように、これら戸板１０，２０の連結側端部１１，２１のそれぞれに、少なくとも閉鎖状態における上記隙間を遮蔽する隙間遮蔽手段として機能する弾性体１４，２４を上下方向に沿って設けている。
これら弾性体１４，２４は、図１（ａ）に示すように、当該折戸１が少なくとも閉鎖状態で互いに噛み合うような複数の歯部１５，２５を有した歯型状とされており、図２（ａ）に示すように、各戸板１０，２０の上下方向の略全長に亘って設けられている。
【００１７】
本実施形態では、これら弾性体１４，１５は、図１（ａ）に示すように、横断面形状が、各戸板１０，２０の上記した連結側端部１１，２１の回動支点１２，２２を中心とする略半円形状の歯車状とされている。
これら弾性体１４，２４のそれぞれに設けられた複数の歯部１４，１５は、各戸板１０，２０の連結側端部１１，２１において、各回動支点１２，２２を中心として半径方向に放射状に、かつ各戸板１０，２０の前面側近傍から背面側近傍に至るまで等間隔に設けられている。図例では、第１戸板１０の弾性体１４を、６つの歯部１５を有したものとし、第２戸板２０の弾性体２４を、７つの歯部２５を有したものとしている。
また、本実施形態では、一方の弾性体の歯部が他方の弾性体の歯溝に非接触状態で受け入れられるように、それぞれの弾性体１４，２４の歯部１５，２５を、位相をずらすようにして形成している。つまり、本実施形態では、これら弾性体１４，２４は、互いに非接触状態で噛み合うような形状とされている。
【００１８】
また、これら複数の歯部１４，１５は、本実施形態では、当該折戸１が図１（ａ）に示す閉鎖状態と図３（ａ）に示す略四半開状態との間を少なくとも開閉される際に互いに噛み合うように形成されている。つまり、各戸板１０，２０が図１（ａ）及び図２（ｂ）に示すように、略同一直線状とされた閉鎖状態において、第１戸板１０の弾性体１４の複数の歯部１５と、第２戸板２０の弾性体２４の複数の歯部２５とが非接触状態で互いに噛み合うような形状とされている。また、各戸板１０，２０のなす角（連結角）θ（図２（ｂ）参照）が略９０度程度とされた上記略四半開状態と上記閉鎖状態との間を開閉される際に、第１戸板１０の弾性体１４の複数の歯部１５と、第２戸板２０の弾性体２４の複数の歯部２５とが非接触状態で互いに噛み合うような形状とされている（図１（ｂ）も参照）。
【００１９】
また、本実施形態では、当該折戸１が折り畳まれて、図３（ｂ）に示す開放状態においては、第１戸板１０の弾性体１４の複数の歯部１５と、第２戸板２０の弾性体２４の複数の歯部２５とが噛み合わず、これらの間に空間が形成される形状とされている。図例では、上記略四半開状態よりもやや開放された状態と開放状態との間を開閉される際には、各弾性体１４，２４同士の歯部１５，２５が噛み合わない構成としている。
【００２０】
これら弾性体１４，２４は、各戸板１０，２０の連結側端面に形成された凹部１３，２３に戸板側側部が嵌め込まれるようにして各戸板１０，２０に対して固定されている。これら凹部１３，２３は、当該折戸１が閉鎖状態において互いに向き合う方向に開口するように形成されている。この弾性体１４，２４の各戸板１０，２０に対する固定手段としては、どのようなものでもよく、ねじ等の固定止具や接着剤等を用いるようにしてもよい。または、各戸板１０，２０の連結側端面に係止凹溝を設け、各弾性体の戸板側側部にこの係止凹溝に嵌め入れられる係止突条等を設けて嵌め入れ固定するような態様としてもよい。
また、これら弾性体１４，２４が設けられる各戸板１０，２０間の隙間は、手指や物品等の挟み込みを吸収し得るよう、例えば、上記略四半開状態と上記閉鎖状態との間を開閉される際に形成される最小隙間が５ｍｍ〜３０ｍｍ程度となるようにしてもよい。つまり、各戸板１０，２０の連結側端部１１，２１の背面側縁部間の隙間が上記程度となるように、各戸板１０，２０の厚さ寸法等を考慮して、上記した連結部材８，９や各弾性体１４，２４を形成するようにしてもよい。
【００２１】
なお、これら弾性体１４，２４は、弾性を有し、圧縮変形可能な材料から形成するようにしてもよい。このような材料としては、天然ゴムや合成ゴム、合成樹脂エラストマーなどのエラストマー系材料や、軟質合成樹脂系材料、発泡（フォーム）系材料等が挙げられる。
また、これら弾性体１４，２４は、図例のように中実状とされたものに限られず、上記した外郭形状を有した中空状のものとしてもよい。
さらに、これら弾性体１４，２４に設けられた歯部１５，２５の個数は図例のものに限られず、上記のように噛み合うものであれば、更に粗くまたは細かく設けるようにしてもよい。また、各歯部１５，２５の形状も図例のような横断面略等脚台形状とされたものに限られず、横断面略三角形状とされたものや、各歯部１５，２５の歯先が凸湾曲形状とされたものとしてもよい。
【００２２】
上記構成とされた折戸１によれば、複数枚の戸板１０，２０の連結側端部１１，２１間における隙間からの明かり漏れを防止することができる。
つまり、第１戸板１０及び第２戸板２０のそれぞれの連結側端部１１，２１に、当該折戸１が閉鎖状態で互いに噛み合うような複数の歯部１５，２５を有した歯型状の弾性体１４，２４を上下方向に沿って設けている。従って、これら戸板１０，２０の連結側端部１１，２１間における隙間からの明かり漏れを効果的かつ確実に防止することができる。
また、戸板１０，２０間に手指や物品等が存在するような場合にも、これら弾性体１４，２４の弾性変形によって損傷等を低減させることができる。
【００２３】
また、本実施形態では、これら戸板１０，２０のそれぞれに設けられた弾性体１４，２４を、当該折戸１が上記閉鎖状態と上記略四半開状態との間を少なくとも開閉される際に互いに噛み合うような形状としている。従って、閉鎖状態から開放される際、及び当該折戸１が略四半開きから閉鎖される際における戸板１０，２０間の隙間を互いに噛み合う弾性体１４，２４によって隠すことができ、このような開閉時の明かり漏れ等も防止できる。
さらに、本実施形態では、これら戸板１０，２０のそれぞれに設けられた弾性体１４，２４を、互いに非接触状態で噛み合うような形状としている。従って、明かり漏れの防止が可能でありながらも、互いに非接触状態で噛み合うような形状とされているので、互いが擦れることにより生じる損傷や異音等の発生を防止することができる。
【００２４】
次に、本発明に係る他の実施の形態について、図面を参照しながら説明する。
図４は、第２実施形態に係る折戸について説明するための説明図である。
なお、上記第１実施形態との相違点について主に説明し、同様の構成については、同一符号を付し、その説明を省略または簡略に説明する。
【００２５】
本実施形態に係る折戸１Ａは、第１戸板１０Ａ及び第２戸板２０Ａの連結側端部１１Ａ，２１Ａのそれぞれに設けられた弾性体１４Ａ，２４Ａの構成が、上記第１実施形態に係る折戸１とは主に異なる。
本実施形態では、これら弾性体１４Ａ，２４Ａは、図４（ａ）に示す閉鎖状態における前面側部位に歯部を設けておらず、それぞれの前面側部位を、略平滑な凸湾曲面部１４ａ，２４ａとしている。このような態様によれば、閉鎖状態では、各弾性体１４Ａ，２４Ａの歯部１５，２５が手前側から見た状態において目立ち難くなり、すっきりとした印象を与えることができ、見栄えを向上させることができる。
【００２６】
また、これら弾性体１４Ａ，２４Ａは、図４（ａ）に示す閉鎖状態における背面側部位に、さらに複数の歯部１５Ａ，２５Ａを有している。これら背面側の歯部１５Ａ，２５Ａは、各戸板１０Ａ，２０Ａの連結側端部１１Ａ，２１Ａの背面に至るように形成されている。
また、これら弾性体１４Ａ，２４Ａの形状に対応させて、これら戸板１０Ａ，２０Ａの連結側端部１１Ａ，２１Ａの各凹部１３Ａ，２３Ａを、これら連結側端部１１Ａ，２１Ａの背面側縁部から背面の一部に至るような切欠部を設けたものとしている。
【００２７】
これら弾性体１４Ａ，２４Ａは、本実施形態では、図４（ｂ）に示すように、当該折戸１Ａが開放状態においても、これらの背面側の歯部１５Ａ，２５Ａが噛み合うように形成されている。つまり、本実施形態では、当該折戸１Ａが、閉鎖状態と開放状態との間を開閉される際に、各戸板１０Ａ，２０Ａに設けられた各弾性体１４Ａ，２４Ａ同士の歯部１５，１５Ａ，２５，２５Ａが常時、噛み合うように各弾性体１４Ａ，２４Ａを形成している。
これによれば、閉鎖状態と開放状態との間を開閉される際に、常時、戸板１０Ａ，２０Ａ間の隙間を覆い隠すことができ、明かり漏れ等を防止することができる。
なお、本実施形態において説明した弾性体１４Ａ，２４Ａの凸湾曲面部１４ａ，２４ａを、上記第１実施形態において説明した弾性体１４，２４の前面側部位に設けるようにしてもよい。
【００２８】
なお、第１戸板１０（１０Ａ）の支持態様としては、上記したような上吊式に限られず、下荷重式としてもよい。この場合は、第１戸板１０（１０Ａ）の戸先側端部１６の上端に案内片やピボット等を設け、それを受け入れるガイド凹溝を有した上レールを上方に配設し、第１戸板１０（１０Ａ）の戸先側端部１６の下端に戸車等を設け、それに応じた下レールを床側に設置するようにしてもよい。
また、上記した例では、第１戸板１０（１０Ａ）と第２戸板２０（２０Ａ）との戸幅寸法を略同一寸法とした折戸１（１Ａ）を例示しているが、第１戸板１０（１０Ａ）の幅寸法を第２戸板２０（２０Ａ）の幅寸法よりも大きくしたいわゆる親子扉としてもよい。この場合は、第１戸板１０（１０Ａ）の上端等に公知の移動機構（スライド機構）を設け、上記した戸先側端部１６の回動支点１７を、当該第１戸板１０（１０Ａ）の戸幅方向に沿ってスライド自在とすればよい。
【００２９】
さらに、上記した例では、開口部５に一組の折戸１（１Ａ）を配設した例を示しているが、二組以上の折戸１（１Ａ）を配設する態様としてもよい。さらには、二枚の戸板を連結した折戸に限られず、三枚以上の戸板を連結した折戸としてもよい。この場合は、各戸板の連結側端部に、上記したような弾性体１４（１４Ａ），２４（２４Ａ）を設けるようにしてもよい。
さらにまた、上記した例では、第２戸板２０（２０Ａ）の吊元側端部２６を、ピボット２８，２９によって回動自在とした例を示しているが、例えば、スライド蝶番等の蝶番を介して縦枠３等に回動自在に連結する態様としてもよい。さらには、第２戸板２０（２０Ａ）の吊元側端部２６の回動支点２７を、第１戸板１０（１０Ａ）の戸先側端部１６の回動支点１７と同様、上レール乃至は下レールに対してスライド可能な態様としてもよい。
また、上記した例では、第１戸板１０（１０Ａ）と第２戸板２０（２０Ａ）とが、図３（ｂ）、図４（ｂ）に示すように、開放状態において、略平行状態となるまで折り畳み可能とされた折戸１（１Ａ）を例示しているが、開放状態において、略平行状態とならないものとしてもよい。
【００３０】
また、上記した例では、折戸１（１Ａ）が上記閉鎖状態と上記略四半開状態との間を少なくとも開閉される際に互いに噛み合うような形状とした弾性体１４，２４（１４Ａ，２４Ａ）を設けた例を示しているが、このような態様に限られない。折戸１（１Ａ）が閉鎖状態においてのみ互いの複数の歯部が噛み合う弾性体を設ける態様としてもよい。この場合は、例えば、閉鎖状態における前面側部位及び背面側部位に歯部を設けずに、第２実施形態において説明したような略平滑な凸湾曲面部を前面側部位及び背面側部位のそれぞれに設けるような態様としてもよい。つまりは、閉鎖状態で互いに噛み合う少なくとも二つの歯部を有した弾性体を各戸板の連結側端部のそれぞれに設けるような態様としてもよい。このような態様によっても、互いに噛み合う複数の歯部によって、折戸の閉鎖状態における戸板間の隙間からの明かり漏れを確実に防止することができる。
さらに、上記した例では、互いに非接触状態で噛み合うような形状とした弾性体１４，２４（１４Ａ，２４Ａ）を設けた例を示しているが、これらの歯部が接触状態で噛み合うような形状とされたものとしてもよい。例えば、折戸を浴室等の水廻り空間の開口部の開閉扉として適用するような場合には、各弾性体を水密性の材料からなるものとし、互いの歯部が接触状態で噛み合うような形状とされたものとしてもよい。
【符号の説明】
【００３１】
１，１Ａ      折戸
１０，１０Ａ  第１戸板
１１，１１Ａ  第１戸板の連結側の側端部
１４，１４Ａ  第１戸板の弾性体
１５，１５Ａ  歯部
２０，２０Ａ  第２戸板
２１，２１Ａ  第２戸板の連結側の側端部
２４，２４Ａ  第２戸板の弾性体
２５，２５Ａ  歯部
【図１】
2012112134.tif 000003
【図２】
2012112134.tif 000004
【図３】
2012112134.tif 000005
【図４】
2012112134.tif 000006